【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
トナー像を担持する移動可能な像担持体と、前記像担持体上のトナー像が第１の転写位置で転写される移動可能な中間転写体と、前記中間転写体上のトナー像が第２の転写位置で転写材に転写された後、転写材上のトナー像を定着位置で定着する移動可能な定着手段と、を有し、前記中間転写体の移動速度は第１速度と、前記第１速度と異なる第２速度とに切り替え可能であり、前記第１速度で前記中間転写体上のトナー像が転写材に転写されるとき、前記定着手段は第３速度で定着し、前記第２速度で前記中間転写体上のトナー像が転写材に転写されるとき、前記定着手段は前記第３速度とは異なる第４速度で定着可能である画像形成装置において、
前記中間転写体の移動方向における前記第１の転写位置から前記第２の転写位置までの距離は、前記中間転写体上のトナー像の前記中間転写体の移動方向における長さよりも長く、
前記像担持体から前記中間転写体にトナー像転写終了後であって、前記中間転写体上のトナー像が前記第２の転写位置に到達する前に、前記中間転写体上のトナー像は前記第１の転写位置を通過することなく、前記中間転写体の移動速度は前記第１速度から前記第２速度に切り換え可能であることを特徴とする画像形成装置。
【請求項２】
トナー像を担持する移動可能な像担持体と、前記像担持体上のトナー像が第１の転写位置で転写される移動可能な中間転写体と、前記中間転写体上のトナー像が第２の転写位置で転写材に転写された後、転写材上のトナー像を定着位置で定着する移動可能な定着手段と、を有し、前記中間転写体の移動速度は第１速度と、前記第１速度とは異なる第２速度とに切り替え可能であり、前記第１速度で前記中間転写体上のトナー像が転写材に転写されるとき、前記定着手段は第３速度で定着し、前記第２速度で前記中間転写体上のトナー像が転写材に転写されるとき、前記定着手段は前記第３速度と異なる第４速度で定着可能である画像形成装置において、
前記中間転写体の移動方向における前記第１の転写位置から前記第２の転写位置までの距離は、転写材の搬送方向における長さよりも長く、
前記像担持体から前記中間転写体にトナー像転写終了後であって、前記中間転写体上のトナー像が前記第２の転写位置に到達する前に、前記中間転写体上のトナー像は前記第１の転写位置を通過することなく、前記中間転写体の移動速度は前記第１速度から前記第２速度に切り換え可能であることを特徴とする画像形成装置。
【請求項３】
転写材の搬送方向における前記第２の転写位置から前記定着位置までの距離は、転写材の搬送方向における長さよりも短いことを特徴とする請求項１または２に記載の画像形成装置。
【請求項４】
前記転写材が、透明樹脂フィルムである場合において、前記像担持体から前記中間転写体にトナー像転写終了後であって、前記中間転写体上のトナー像が前記第２の転写位置に到達する前に、前記中間転写体上のトナー像は前記第１の転写位置を通過することなく、前記中間転写体の移動速度は前記第１速度から前記第２速度に切り換えることを特徴とする請求項１から３のいずれか一項に記載の画像形成装置。
【請求項５】
前記転写材の坪量は、１０５ｇ／ｃｍ2以上である場合において、前記像担持体から前記中間転写体にトナー像転写終了後であって、前記中間転写体上のトナー像が前記第２の転写位置に到達する前に、前記中間転写体上のトナー像は前記第１の転写位置を通過することなく、前記中間転写体の移動速度は前記第１速度から前記第２速度に切り換えることを特徴とする請求項１から４に記載の画像形成装置。
【請求項６】
前記像担持体と前記中間転写体は、同じ駆動源にて駆動されることを特徴とする請求項１から５のいずれか一項に記載画像形成装置。
【請求項７】
前記装置は、帯電された前記像担持体表面を露光位置で露光する露光手段を備え、前記像担持体の移動方向において前記露光位置から前記第１の転写位置までの距離は、前記中間転写体の移動方向における前記第２の転写位置から前記第１の転写位置までの距離よりも長いことを特徴とする請求項１から６のいずれか一項に記載の画像形成装置。
【請求項８】
前記中間転写体から転写材にトナー像が転写終了後、前記中間転写体は前記第２速度から前記第１速度に切り替えられることを特徴とする請求項１から７のいずれか一項に記載の画像形成装置。
【請求項９】
前記第１速度は前記第３速度よりも速いことを特徴とする請求項１から８のいずれか一項に記載の画像形成装置。
【請求項１０】
前記第２速度は前記第４速度よりも速いことを特徴とする請求項１から９のいずれか一項に記載の画像形成装置。
【請求項１１】
前記像担持体は複数色のトナー像を担持可能であり、前記像担持体上の前記複数色のトナー像は前記第１の転写位置で前記中間転写体に順次重ねて転写され、前記中間転写体上の前記複数色のトナー像は前記第２の転写位置で転写材に転写されることを特徴とする請求項１から１０のいずれか一項に記載の画像形成装置。
【手続補正２】
【補正対象書類名】明細書
【補正対象項目名】００１８
【補正方法】変更
【補正の内容】
【００１８】
【課題を解決するための手段】
上記目的は、本発明により達成される。本発明は、トナー像を担持する移動可能な像担持体と、前記像担持体上のトナー像が第１の転写位置で転写される移動可能な中間転写体と、前記中間転写体上のトナー像が第２の転写位置で転写材に転写された後、転写材上のトナー像を定着位置で定着する移動可能な定着手段と、を有し、前記中間転写体の移動速度は第１速度と、前記第１速度と異なる第２速度とに切り替え可能であり、前記第１速度で前記中間転写体上のトナー像が転写材に転写されるとき、前記定着手段は第３速度で定着し、前記第２速度で前記中間転写体上のトナー像が転写材に転写されるとき、前記定着手段は前記第３速度とは異なる第４速度で定着可能である画像形成装置において、前記中間転写体の移動方向における前記第１の転写位置から前記第２の転写位置までの距離は、前記中間転写体上のトナー像の前記中間転写体の移動方向における長さよりも長く、前記像担持体から前記中間転写体にトナー像転写終了後であって、前記中間転写体上のトナー像が前記第２の転写位置に到達する前に、前記中間転写体上のトナー像は前記第１の転写位置を通過することなく、前記中間転写体の移動速度は前記第１速度から前記第２速度に切り換え可能であることを特徴とする。
【手続補正３】
【補正対象書類名】明細書
【補正対象項目名】００１９
【補正方法】変更
【補正の内容】
【００１９】
別の実施態様によれば、トナー像を担持する移動可能な像担持体と、前記像担持体上のトナー像が第１の転写位置で転写される移動可能な中間転写体と、前記中間転写体上のトナー像が第２の転写位置で転写材に転写された後、転写材上のトナー像を定着位置で定着する移動可能な定着手段と、を有し、前記中間転写体の移動速度は第１速度と、前記第１速度とは異なる第２速度とに切り替え可能であり、前記第１速度で前記中間転写体上のトナー像が転写材に転写されるとき、前記定着手段は第３速度で定着し、前記第２速度で前記中間転写体上のトナー像が転写材に転写されるとき、前記定着手段は前記第３速度と異なる第４速度で定着可能である画像形成装置において、前記中間転写体の移動方向における前記第１の転写位置から前記第２の転写位置までの距離は、転写材の搬送方向における長さよりも長く、前記像担持体から前記中間転写体にトナー像転写終了後であって、前記中間転写体上のトナー像が前記第２の転写位置に到達する前に、前記中間転写体上のトナー像は前記第１の転写位置を通過することなく、前記中間転写体の移動速度は前記第１速度から前記第２速度に切り換え可能であることを特徴とする。